(57)【要約】【課題】  システム情報の設定を容易化させ得る使い勝手の良い通信システム、通信装置及び方法並びにプログラムを提案する。【解決手段】  設定されたシステム情報を用いて所定の無線通信規格に従って他の通信装置との間で通信を行う通信手段に対し、予め定められた自己及び全ての他の通信装置間で共通のシステム情報を設定し、他の通信装置との間で通信が確立した後に、ユーザにより入力され又は予め与えられた新たなシステム情報を他の通信装置との間でやり取りすると共に、当該新たなシステム情報を通信手段に設定するようにした。【選択図】        図５
2005210314.tif 000002
【特許請求の範囲】
【請求項１】
所定のシステム情報を第１及び第２の通信装置に共通に設定することによって、上記第１及び第２の通信装置間で所定の無線通信規格に従った通信を行うことができるようになされた通信システムにおいて、
上記第１の通信装置は、
設定された上記システム情報を用いて上記所定の無線通信規格に従って上記第２の通信装置との間で通信を行う第１の通信手段と、
上記第１の通信手段に上記システム情報を設定する第１の設定手段と
を具え、
上記第２の通信装置は、
設定された上記システム情報を用いて上記所定の無線通信規格に従って上記第１の通信装置との間で通信を行う第２の通信手段と、
上記第２の通信手段に上記システム情報を設定する第２の設定手段と
を具え、
上記第１及び第２の設定手段は、
予め定められた全ての上記第１及び第２の通信装置間で共通の上記システム情報を対応する上記第１又は第２の通信手段に設定し、
上記第１及び第２の通信手段間で通信が確立した後に、ユーザにより入力され又は予め与えられた新たな上記システム情報を相手側の上記第２又は第１の通信装置との間でやり取りすると共に、当該新たなシステム情報を上記第１又は第２の通信手段に設定する
ことを特徴とする通信システム。
【請求項２】
上記第１及び第２の設定手段は、
上記新たなシステム情報を相手側の上記第２又は第１の通信装置との間でやり取りする際に、上記第１又は第２の通信手段の送信信号の出力レベルを低下させると共に受信信号の信号レベルが所定値よりも小さな受信データを破棄するように上記第１又は第２の通信手段を制御する
ことを特徴とする請求項１に記載の通信システム。
【請求項３】
上記システム情報は、
ネットワーク内で共通の当該ネットワークの識別情報及び通信時の暗号化に関する暗号化情報である
ことを特徴とする請求項１に記載の通信システム。
【請求項４】
所定のシステム情報を他の通信装置と共通に設定することによって、当該他の通信装置との間で所定の無線通信規格に従った通信を行うことができるようになされた通信装置において、
設定された上記システム情報を用いて上記所定の無線通信規格に従って上記他の通信装置との間で通信を行う通信手段と、
上記通信手段に上記システム情報を設定する設定手段と
を具え、
上記設定手段は、
予め定められた自己及び全ての上記他の通信装置間で共通の上記システム情報を上記通信手段に設定し、
上記他の通信装置との間で通信が確立した後に、ユーザにより入力され又は予め与えられた新たな上記システム情報を上記他の通信装置との間でやり取りすると共に、当該新たなシステム情報を上記通信手段に設定する
ことを特徴とする通信装置。
【請求項５】
上記設定手段は、
上記新たなシステム情報を上記他の通信装置との間でやり取りする際に、上記通信手段の送信信号の出力レベルを低下させると共に受信信号の信号レベルが所定値よりも小さな受信データを破棄するように上記通信手段を制御する
ことを特徴とする請求項４に記載の通信装置。
【請求項６】
上記システム情報は、
ネットワーク内で共通の当該ネットワークの識別情報及び通信時の暗号化に関する暗号化情報である
ことを特徴とする請求項４に記載の通信装置。
【請求項７】
所定のシステム情報を他の通信装置と共通に設定することによって、当該他の通信装置との間で所定の無線通信規格に従った通信を行う通信方法において、
設定された上記システム情報を用いて上記所定の無線通信規格に従って上記他の通信装置との間で通信を行う通信手段に対し、予め定められた自己及び全ての上記他の通信装置間で共通の上記システム情報を設定する第１のステップと、
上記他の通信装置との間で通信が確立した後に、ユーザにより入力され又は予め与えられた新たな上記システム情報を上記他の通信装置との間でやり取りすると共に、当該新たなシステム情報を上記通信手段に設定する第２のステップと
を具えることを特徴とする通信方法。
【請求項８】
上記第２のステップでは、
上記新たなシステム情報を上記他の通信装置との間でやり取りする際に、上記通信手段の送信信号の出力レベルを低下させると共に受信信号の信号レベルが所定値よりも小さな受信データを破棄するように上記通信手段を制御する
ことを特徴とする請求項７に記載の通信方法。
【請求項９】
上記システム情報は、
ネットワーク内で共通の当該ネットワークの識別情報及び通信時の暗号化に関する暗号化情報である
ことを特徴とする請求項７に記載の通信方法。
【請求項１０】
所定のシステム情報を他の通信装置と共通に設定することによって、当該他の通信装置との間で所定の無線通信規格に従った通信を行うことができるようになされた通信装置を制御するコンピュータに、
設定された上記システム情報を用いて上記所定の無線通信規格に従って上記他の通信装置との間で通信を行う通信手段に対し、予め定められた自己及び全ての上記他の通信装置間で共通の上記システム情報を設定する第１のステップと、
上記他の通信装置との間で通信が確立した後に、ユーザにより入力され又は予め与えられた新たな上記システム情報を上記他の通信装置との間でやり取りすると共に、当該新たなシステム情報を上記通信手段に設定する第２のステップとを具える処理を実行させる
ことを特徴とするプログラム。
【発明の詳細な説明】
【技術分野】
【０００１】
本発明は、通信システム、通信装置及び方法並びにプログラムに関し、例えばワイヤレステレビジョンシステムに適用して好適なものである。
【背景技術】
【０００２】
近年、新しいタイプのテレビジョンシステムとして、チューナ機能等が搭載された本体部（以下、これをベースステーション部と呼ぶ）に対してモニタ部が別体化されたものがある（例えば非特許文献１参照）。
【０００３】
かかるテレビジョンシステム（以下、これをワイヤレステレビジョンシステムと呼ぶ）においては、ベースステーション部及びモニタ部を例えばＩＥＥＥ（Institute of Electrical and Electronics Engineers）８０２.１１規格に準拠した無線ＬＡＮ（Local Area Network）で無線接続し、ベースステーション部からモニタ部に送信される映像音声データに基づいてモニタ部において映像を表示し、音声を出力することにより、家中のどこにいてもワイヤレスでテレビジョン放送等を楽しむことができるものである。
【非特許文献１】エアボード、［online］、ソニー株式会社、［平成１５年１１月２５日検索］、インターネット〈URL:http://www.sony.jp/products/consumer/airboard〉
【発明の開示】
【発明が解決しようとする課題】
【０００４】
ところで、かかる従来のワイヤレステレビジョンシステムにおいて、ベースステーション部及びモニタ部が通信を確立するためには、これらベースステーション部及びモニタ部が共通のＳＳＩＤ（Service Set Identification）と呼ばれるネットワーク識別情報と、暗号化の有無や、暗号化する場合の方式（ＷＥＰ（Wired Equivalent Privacy）など）及び暗号鍵などの暗号化に関する情報（以下、これを暗号化情報と呼ぶ）とからなる無線ＬＡＮシステム情報を共有することが必要となる。
【０００５】
従って、例えばベースステーション部及びモニタ部を個別に購入してワイヤレステレビジョンシステムを構築する場合には、かかる無線ＬＡＮシステム情報をベースステーション部やモニタ部に共通にそれぞれ設定する必要がある。
【０００６】
しかしながら、かかるベースステーション部には、無線ＬＡＮシステム情報を入力するための入力手段や、入力された無線ＬＡＮシステム情報を表示するための表示手段が設けられておらず、このためモニタ部の無線ＬＡＮシステム情報をベースステーション部に設定する際、ユーザは、ベースステーション部をイーサネット（登録商標）又はＵＳＢ（Universal Serial Bus）などのインターフェースを介して自己のパーソナルコンピュータと接続し、当該パーソナルコンピュータを用いて設定を行う必要があった。従って、パーソナルコンピュータを所有しないユーザは、このようなベースステーション部に対する無線ＬＡＮシステム情報の設定を行い得ない問題があった。
【０００７】
また従来のワイヤレステレビジョンシステムでは、ベースステーション部に対するモニタ部の無線ＬＡＮシステム情報の設定を上述のようにパーソナルコンピュータのモニタ画面上で行い、モニタ部に対するベースステーション部の無線ＬＡＮシステム情報の設定を当該モニタ部のディスプレイに表示させた所定のＧＵＩ画面を用いて行うようになされているが、このときユーザが無線ＬＡＮシステム情報の設定を間違うことがあり、このような場合にはベースステーション部及びモニタ部間を無線接続し得ない場合があった。
【０００８】
本発明は以上の点を考慮してなされたもので、システム情報の設定を容易化させ得ることによって使い勝手を向上させ得る通信システム、通信装置及び方法並びにプログラムを提案しようとするものである。
【課題を解決するための手段】
【０００９】
かかる課題を解決するため本発明においては、通信システムにおいて、第１の通信装置に、設定されたシステム情報を用いて所定の無線通信規格に従って第２の通信装置との間で通信を行う第１の通信手段と、第１の通信手段にシステム情報を設定する第１の設定手段とを設け、第２の通信装置に、設定されたシステム情報を用いて所定の無線通信規格に従って第１の通信装置との間で通信を行う第２の通信手段と、第２の通信手段にシステム情報を設定する第２の設定手段とを設け、第１及び第２の設定手段が、予め定められた全ての第１及び第２の通信装置間で共通のシステム情報を対応する第１又は第２の通信手段に設定し、第１及び第２の通信手段間で通信が確立した後に、ユーザにより入力され又は予め与えられた新たなシステム情報を相手側の第２又は第１の通信装置との間でやり取りすると共に、当該新たなシステム情報を第１又は第２の通信手段に設定するようにした。
【００１０】
この結果この通信システムでは、第１及び第２の通信装置にそれぞれシステム情報を設定する際に、当該システム情報の入力ミスに起因して第１及び第２の通信装置が無線接続できないという事態が発生するのを未然に防止することができる。
【００１１】
また本発明においては、通信装置において、設定されたシステム情報を用いて所定の無線通信規格に従って他の通信装置との間で通信を行う通信手段と、通信手段にシステム情報を設定する設定手段とを設け、設定手段が、予め定められた自己及び全ての他の通信装置間で共通のシステム情報を通信手段に設定し、他の通信装置との間で通信が確立した後に、ユーザにより入力され又は予め与えられた新たなシステム情報を他の通信装置との間でやり取りすると共に、当該新たなシステム情報を通信手段に設定するようにした。
【００１２】
この結果この通信装置では、システム情報を設定する際に当該システム情報の入力ミスに起因して他の通信装置と無線接続できないという事態が発生するのを未然に防止することができる。
【００１３】
さらに本発明においては、通信方法において、設定されたシステム情報を用いて所定の無線通信規格に従って他の通信装置との間で通信を行う通信手段に対し、予め定められた自己及び全ての他の通信装置間で共通のシステム情報を設定する第１のステップと、他の通信装置との間で通信が確立した後に、ユーザにより入力され又は予め与えられた新たなシステム情報を他の通信装置との間でやり取りすると共に、当該新たなシステム情報を通信手段に設定する第２のステップとを設けるようにした。
【００１４】
この結果この通信方法によれば、システム情報を設定する際に当該システム情報の入力ミスに起因して他の通信装置と無線接続できないという事態が発生するのを未然に防止することができる。
【００１５】
さらに本発明においては、プログラムにおいて、所定のシステム情報を他の通信装置と共通に設定することによって、当該他の通信装置との間で所定の無線通信規格に従った通信を行うことができるようになされた通信装置を制御するコンピュータに、設定されたシステム情報を用いて所定の無線通信規格に従って他の通信装置との間で通信を行う通信手段に対し、予め定められた自己及び全ての他の通信装置間で共通のシステム情報を設定する第１のステップと、他の通信装置との間で通信が確立した後に、ユーザにより入力され又は予め与えられた新たなシステム情報を他の通信装置との間でやり取りすると共に、当該新たなシステム情報を通信手段に設定する第２のステップとを有する処理を実行させるようにした。
【００１６】
この結果このプログラムによれば、システム情報を設定する際に当該システム情報の入力ミスに起因して他の通信装置と無線接続できないという事態が発生するのを未然に防止することができる。
【発明の効果】
【００１７】
本発明によれば、所定のシステム情報を第１及び第２の通信装置に共通に設定することによって、第１及び第２の通信装置間で所定の無線通信規格に従った通信を行うことができるようになされた通信システムにおいて、第１の通信装置に、設定されたシステム情報を用いて所定の無線通信規格に従って第２の通信装置との間で通信を行う第１の通信手段と、第１の通信手段にシステム情報を設定する第１の設定手段とを設け、第２の通信装置に、設定されたシステム情報を用いて所定の無線通信規格に従って第１の通信装置との間で通信を行う第２の通信手段と、第２の通信手段にシステム情報を設定する第２の設定手段とを設け、第１及び第２の設定手段が、予め定められた全ての第１及び第２の通信装置間で共通のシステム情報を対応する第１又は第２の通信手段に設定し、第１及び第２の通信手段間で通信が確立した後に、ユーザにより入力され又は予め与えられた新たなシステム情報を相手側の第２又は第１の通信装置との間でやり取りすると共に、当該新たなシステム情報を第１又は第２の通信手段に設定するようにしたことにより、第１及び第２の通信装置にそれぞれシステム情報を設定する際に、当該システム情報の入力ミスに起因して第１及び第２の通信装置が無線接続できないという事態が発生するのを未然に防止することができ、かくして使い勝手を向上させ得る通信システムを実現できる。
【００１８】
また本発明においては、所定のシステム情報を他の通信装置と共通に設定することによって、当該他の通信装置との間で所定の無線通信規格に従った通信を行うことができるようになされた通信装置において、設定されたシステム情報を用いて所定の無線通信規格に従って他の通信装置との間で通信を行う通信手段と、通信手段にシステム情報を設定する設定手段とを設け、設定手段が、予め定められた自己及び全ての他の通信装置間で共通のシステム情報を通信手段に設定し、他の通信装置との間で通信が確立した後に、ユーザにより入力され又は予め与えられた新たなシステム情報を他の通信装置との間でやり取りすると共に、当該新たなシステム情報を通信手段に設定するようにしたことにより、システム情報を設定する際に当該システム情報の入力ミスに起因して他の通信装置と無線接続できないという事態が発生するのを未然に防止することができ、かくして使い勝手を向上させ得る通信装置を実現できる。
【００１９】
さらに本発明においては、所定のシステム情報を他の通信装置と共通に設定することによって、当該他の通信装置との間で所定の無線通信規格に従った通信を行う通信方法において、設定されたシステム情報を用いて所定の無線通信規格に従って他の通信装置との間で通信を行う通信手段に対し、予め定められた自己及び全ての他の通信装置間で共通のシステム情報を設定する第１のステップと、他の通信装置との間で通信が確立した後に、ユーザにより入力され又は予め与えられた新たなシステム情報を他の通信装置との間でやり取りすると共に、当該新たなシステム情報を通信手段に設定する第２のステップとを設けるようにしたことにより、システム情報を設定する際に当該システム情報の入力ミスに起因して他の通信装置と無線接続できないという事態が発生するのを未然に防止することができ、かくして通信装置の使い勝手を向上させ得る通信方法を実現できる。
【００２０】
さらに本発明によれば、プログラムにおいて、所定のシステム情報を他の通信装置と共通に設定することによって、当該他の通信装置との間で所定の無線通信規格に従った通信を行うことができるようになされた通信装置を制御するコンピュータに、設定されたシステム情報を用いて所定の無線通信規格に従って他の通信装置との間で通信を行う通信手段に対し、予め定められた自己及び全ての他の通信装置間で共通のシステム情報を設定する第１のステップと、他の通信装置との間で通信が確立した後に、ユーザにより入力され又は予め与えられた新たなシステム情報を他の通信装置との間でやり取りすると共に、当該新たなシステム情報を通信手段に設定する第２のステップとを有する処理を実行させるようにしたことにより、システム情報を設定する際に当該システム情報の入力ミスに起因して他の通信装置と無線接続できないという事態が発生するのを未然に防止することができ、かくして通信装置の使い勝手を向上させ得るプログラムを実現できる。
【発明を実施するための最良の形態】
【００２１】
以下、図面について本発明の一実施の形態を詳述する。
【００２２】
（１）本実施の形態によるワイヤレステレビジョンシステムの構成
図１において、１は全体として本実施の形態によるワイヤレステレビジョンシステムを示し、チューナ機能等が搭載されたベースステーション部２と、このベースステーション部２から送信される映像音声データに基づく映像を表示し、音声を出力するモニタ部３とから構成されている。
【００２３】
ベースステーション部２においては、図２に示すように、ＣＰＵ（Central Processing Unit）１０と、各種制御プログラム等を記憶保持するＲＯＭ（Read Only Memory）１１と、ＣＰＵ１０のワークメモリとしてのＲＡＭ（Random Access Memory）１２と、予め定められた無線ＬＡＮシステム情報を記憶するフラッシュＲＯＭ１３と、ＩＥＥＥ８０２.１１規格に準拠した無線ＬＡＮ通信部１４と、テレビジョン放送を受信するためのチューナ部１５と、ベースステーション部２全体の電源のオン／オフを制御する電源制御部１７と、筐体の所定位置に配設された設定キー１８の状態を検出するキー状態検出部１９とを有し、これらがバス２０を介して相互に接続されることにより構成されている。
【００２４】
この場合、電源制御部１７は、筐体の所定位置に配設された電源キー１６が押圧操作されたか否かを常時監視し、当該電源キー１６が押圧操作されたときには図示しない電源回路を制御して各回路に対する駆動電流の供給を開始又は停止させることにより、ベースステーション部２の電源をオン又はオフさせる。
【００２５】
またキー状態検出部１９は、設定キー１８の状態を常時監視し、当該設定キー１８が押圧操作されたときにこれをＣＰＵ１０に通知する。このときＣＰＵ１０は、ＲＯＭ１１に記憶保持された無線ＬＡＮシステム情報設定プログラムを読み出し、この無線ＬＡＮシステム情報設定プログラムに従って後述のように無線ＬＡＮシステム情報を無線ＬＡＮ通信部１４に設定する。
【００２６】
かくして無線ＬＡＮ通信部１４は、この後この設定された無線ＬＡＮシステム情報を用いてモニタ部３との間の通信を行うようになされ、例えばモニタ部２から送信された各種制御コマンドや各種データをアンテナ２１を介して受信した場合には、これらをバス２０を介してＣＰＵ１０に送出する。
【００２７】
このときＣＰＵ１０は、無線ＬＡＮ通信部１４から与えられるモニタ部３からの各種制御コマンド及び各種データや、ＲＯＭ１１に格納された各種プログラムに基づいて各種制御処理を実行し、例えばモニタ部３からユーザ操作に応動してあるチャンネルの映像音声データの転送要求コマンドが与えられた場合には、これをチューナ部１５に通知する。
【００２８】
かくしてこのときチューナ部１５は、外部アンテナ２２を介して受信される各チャンネルのテレビジョン放送信号の中から指定されたチャンネルのテレビジョン放送信号Ｓ１を受信すると共に、このテレビジョン放送信号Ｓ１に対して検波処理等の所定の信号処理を施し、かくして得られたそのチャンネルの映像音声データを無線ＬＡＮ通信部１４に順次送信する。かくしてこの映像音声データがこの後無線ＬＡＮ通信部１４によりモニタ部３に送信される。
【００２９】
一方、モニタ部３においては、図３に示すように、ＣＰＵ３０と、各種制御プログラム等を記憶保持するＲＯＭ３１と、ＣＰＵ３０のワークメモリとしてのＲＡＭ３２と、このモニタ部３について予め定められた無線ＬＡＮシステム情報を記憶するフラッシュＲＯＭ３３と、ＩＥＥＥ８０２.１１規格に準拠した無線ＬＡＮ通信部３４と、モニタ部３全体の電源のオン／オフを制御する電源制御部３６と、ＬＣＤ（Liquid Crystal Display）３７を制御する表示制御部３８と、ＬＣＤ３７の前部に配設されたタッチパネル３９上のユーザにより操作された座標位置を検出する座標検出部４０と、スピーカ４１を介して出力する音声を制御する音声制御部４２とを有し、これらがバス４３を介して相互に接続されることにより構成されている。
【００３０】
この場合、電源制御部３６は、筐体の所定位置に配設された電源キー３５が押圧操作されたか否かを常時監視し、当該電源キー３５が押圧操作されたときには図示しない電源回路を制御して各回路に対する駆動電流の供給を開始又は停止させることにより、モニタ部３の電源をオン又はオフさせる。
【００３１】
またＣＰＵ３０は、無線ＬＡＮ通信部３４にベースステーション部２の無線ＬＡＮシステム情報が設定されていない初期時、ユーザ操作に応動してＲＯＭ３１に格納された各種制御プログラムに基づく画像データを表示制御部３８に与えることにより、例えば無線ＬＡＮシステム情報設定用の所定のＧＵＩ（Graphical User Interface）画面をＬＣＤ３７に表示させる。
【００３２】
そしてＣＰＵ３０は、この状態において無線ＬＡＮシステム情報を設定すべき旨の入力があったことを座標検出部４０の検出結果に基づいて認識すると、ＲＯＭ３１に格納された無線ＬＡＮシステム情報設定プログラムを読み出し、この無線ＬＡＮシステム情報設定プログラムに従って後述のように無線ＬＡＮシステム情報を無線ＬＡＮ通信部３４に設定する。
【００３３】
かくして無線ＬＡＮ通信部３４は、この後この設定された無線ＬＡＮシステム情報を用いてベースステーション部２との間の通信を行うようになされ、例えばベースステーション部２から送信された各種制御コマンドをアンテナ４４を介して受信した場合には、これをバス４３を介してＣＰＵ３０に送出する。
【００３４】
このときＣＰＵ３０は、無線ＬＡＮ通信部３４から与えられるベースステーション部２からの各種制御コマンドや、ＲＯＭ３１に格納された各種プログラムに基づいて各種制御処理を実行する。この結果、例えば無線ＬＡＮ通信部３４において受信されたベースステーション部２からの映像音声データのうちの映像データが表示制御部３８に与えられて当該映像データに基づく映像がＬＣＤ３７に表示され、当該映像音声データのうちの音声データが音声制御部４２に与えられて当該音声データに基づく音声がスピーカ４１から出力される。
【００３５】
このようにしてこのワイヤレステレビジョンシステム１では、ベースステーション部２から送信される映像音声データに基づく映像音声をモニタ部３において視聴することができることができるようになされている。
【００３６】
なお、ベースステーション部２及びモニタ部３における無線ＬＡＮ通信部１４、３４の具体的構成を図４に示す。
【００３７】
この図４からも明らかなように、無線ＬＡＮ通信部１４、３４においては、ＲＦ（Radio Frequency）／ＩＦ（Intermediate Frequency）処理部５０、ベースバンド処理部５１及びＭＡＣ（Media Access Control）処理部５２から構成されている。
【００３８】
この場合ＭＡＣ処理部５２は、バス２０、４３を介して与えられる映像音声データ等の各種データに対し、当該無線ＬＡＮシステム情報に含まれる暗号化情報に従った暗号化処理、ＩＥＥＥ８０２．１１規格に準拠したフレームフォーマットへの変換、送出タイミングの制御などの所定のＭＡＣ処理を施し、得られたフレームデータＤ１をベースバンド処理部５１に送出する。
【００３９】
ベースバンド処理部５１は、供給されるフレームデータＤ１をＩＱ信号Ｓ１０に変調し、これをＲＦ／ＩＦ処理部５０に送出する。またベースバンド処理部５１は、これと併せてそのときＭＡＣ処理部５２に設定されている送信出力レベルの設定値に応じた送信出力制御信号Ｓ１１をＲＦ／ＩＦ処理部５０に送出することにより、当該ＲＦ／ＩＦ処理部５０内の図示しない増幅器のゲインを当該設定値に応じた値に設定する。
【００４０】
ＲＦ／ＩＦ処理部５０は、ベースバンド処理部５１から与えられるＩＱ信号Ｓ１０を中間周波（ＩＦ）信号に変換する一方、これをさらに高周波（ＲＦ）信号にアップコンバートし、この後このＲＦ信号Ｓ１２をかかる増幅器において増幅処理した後、アンテナ２１、４４を介して通信相手のモニタ部３又はベースステーション部２に送信する。
【００４１】
一方、ＲＦ／ＩＦ処理部５０は、アンテナを２１、４４介して受信した通信相手のモニタ部３又はベースステーション部２から送信される高周波信号Ｓ１３を中間周波信号にダウンコンバートすると共に、この中間周波信号をさらにＩＱ信号Ｓ１４に変換してベースバンド処理部５１に送出する。またこの際ＲＦ／ＩＦ処理部５０は、図示しない内部の検波回路における検出結果を検波信号Ｓ１５としてベースバンド処理部５１に送出する。
【００４２】
ベースバンド処理部５１は、ＲＦ／ＩＦ処理部５０から与えられるＩＱ信号Ｓ１４を復調し、得られたフレームデータＤ２をＭＡＣ処理部５２に送出すると共に、このときＲＦ／ＩＦ処理部５０から与えられる検波信号Ｓ１５に基づいて受信信号（すなわち受信した高周波信号）の強度を表すＲＳＳＩ（Received Signal Strength Indicator）値を検出し、検出結果をＲＳＳＩ値情報Ｄ３としてＭＡＣ処理部５２に送出する。
【００４３】
ＭＡＣ処理部５２は、ベースバンド処理部５１から与えられるフレームデータＤ２を当該無線ＬＡＮシステム情報に含まれる暗号化情報に従って復号して、映像音声データ等の必要なデータを抽出し、これをバス２０、４３を介してＣＰＵ１０、３０や表示制御部３８などの対応するブロックに送出する一方、この際ＲＳＳＩ値情報Ｄ３に基づき認識される受信信号のＲＳＳＩ値が後述のようにＣＰＵ２０、４３により予め設定された所定値よりも小さいときにはそのフレームデータＤ２を破棄する。
【００４４】
このようにして無線ＬＡＮ通信部１４、３４は、必要に応じて信号レベルの低いフレームデータを破棄しながら、通信相手とＩＥＥＥ８０２．１１規格に応じた通信を行い得るようになされている。
【００４５】
（２）無線ＬＡＮシステム情報設定処理
次に、このワイヤレステレビジョンシステム１のベースステーション部２及びモニタ部３における無線ＬＡＮシステム情報の設定処理について説明する。
【００４６】
このワイヤレステレビジョンシステム１においては、ベースステーション部２の設定キー１８（図２）を押圧操作すると共にモニタ部３のＬＣＤ３７（図３）に所定のＧＵＩを表示させてタッチパネル３９を操作することによって、ベースステーション部２及びモニタ部３間で通信を行い、自動的に無線ＬＡＮシステム情報を共有してこれを自己の無線ＬＡＮ通信部１４、３４にそれぞれ設定する無線ＬＡＮシステム情報設定機能がベースステーション部２及びモニタ部３にそれぞれ搭載されている。
【００４７】
この場合、ベースステーション部２におけるこのような無線ＬＡＮシステム情報設定機能に関する各種処理（以下、これを無線ＬＡＮシステム情報設定処理と呼ぶ）は、ＲＯＭ１１に格納された無線ＬＡＮシステム情報設定プログラムに基づいて、図５に示す第１の無線ＬＡＮシステム情報設定処理手順ＲＴ１に従って行われる。
【００４８】
実際上、ベースステーション部２のＣＰＵ１０は、設定キー１８が押圧操作されたことをキー状態検出部１９からの通知によって認識すると、この第１の無線ＬＡＮシステム情報設定処理手順ＲＴ１をステップＳＰ０において開始し、続くステップＳＰ１において、ＲＯＭ１１から無線ＬＡＮシステム情報設定プログラムを読み出し、これをＲＡＭ１２に展開する。
【００４９】
続いてＣＰＵ１０は、ステップＳＰ２に進んで、送信信号の出力レベルを予め定められた最低レベルにまで低下させるように、所定値をＬＡＮ通信部１４の無線ＭＡＣ処理部５２に設定する。これは無線ＬＡＮシステム情報の設定時にベースステーション部２からの送信出力が高いと、このときのベースステーション部２及びモニタ部３間の通信が悪意ある第三者に傍受されて、この後にやり取りされるベースステーション部２及びモニタ部３の無線ＬＡＮシステム情報が盗まれ、この結果として無線ＬＡＮシステム情報設定後のベースステーション部２及びモニタ部３間の通信が傍受されたり、不正にアクセスされる危険性があるからである。
【００５０】
そこでこのワイヤレステレビジョンシステム１では、かかるベースステーション部２及びモニタ部３に対して無線ＬＡＮシステム情報を設定する際には、これらベースステーション部２及びモニタ部３を極至近距離に位置させることを前提として、ベースステーション部２及びモニタ部３の送信出力を抑えてこれらから送信される電波が到達する距離を制限する一方、このときベースステーション部２及びモニタ部３が至近距離から送信されたと考えられるデータのみを受信し、これ以外のデータを破棄することにより、無線ＬＡＮシステム情報の設定時における安全性を向上させ得るようになされている。
【００５１】
このためＣＰＵ１０は、続くステップＳＰ３において、無線ＬＡＮ通信部１４に対して受信信号の信号レベルがある閾値よりも小さな受信データを破棄するように設定する。具体的には、ＣＰＵ１０は、無線ＬＡＮ通信部１４において常時検出される受信信号のＲＳＳＩ値の下限値として予め定められた所定値を無線ＬＡＮ通信部１４のＭＡＣ処理部５２に設定する。この結果、無線ＬＡＮ通信部１４は、この後受信信号のＲＳＳＩ値を常時監視し、この値がＣＰＵ１０により設定された値以上のデータのみを受信し、これ以外のデータ（すなわちＲＳＳＩ値がＣＰＵ１０により設定された値よりも小さいデータ）については破棄することとなる。
【００５２】
続いてＣＰＵ１０は、ステップＳＰ４に進んで無線ＬＡＮ通信部１４に対して既定の無線ＬＡＮシステム情報を設定する。この際ＣＰＵ１０は、無線ＬＡＮシステム情報設定プログラムにおいて予め定められている全てのベースステーション部２及びモニタ部３の間で共通の無線ＬＡＮシステム情報を無線ＬＡＮ通信部１４のＭＡＣ処理部５２に設定する。なおこの場合の暗号化情報の既定値としては、例えば暗号化を行わない平文による通信方法や、暗号鍵を用いる共通鍵方式などが適用できる。そしてこの結果、無線ＬＡＮ通信部１４は、この後この無線ＬＡＮシステム情報を用いてＩＥＥＥ８０２．１１規格で規定された手順に従って、モニタ部３の認証処理（authentication）及びモニタ部３との間の接続処理（association）を順次実行する。
【００５３】
この間ＣＰＵ１０は、ステップＳＰ５に進んでモニタ部３との間で通信が確立するのを待ち、やがてモニタ部３と無線接続されたことを無線ＬＡＮ通信部１４からの通知によって認識すると、ステップＳＰ６に進んで、後述（図６のステップＳＰ１７）のようにモニタ部３から送信される新たな無線ＬＡＮシステム情報を待ち受ける。
【００５４】
さらにＣＰＵ１０は、この後モニタ部３から新たな無線ＬＡＮシステム情報を受信すると、これを無線ＬＡＮ通信部１４のＭＡＣ処理部５２に設定する。かくして無線ＬＡＮ通信部１４は、この後この新たに設定された無線ＬＡＮシステム情報を用いてモニタ部３との通信を行うこととなる。
【００５５】
そしてＣＰＵ１０は、この後ステップＳＰ８に進んで、この新たな無線ＬＡＮシステム情報をフラッシュＲＯＭ１３に保存する。かくしてＣＰＵ１０は、この後ベースステーション部２の電源がオフされた場合にあっても、次回以降の電源オン時にはこの無線ＬＡＮシステム情報をフラッシュＲＯＭ１３から読み出して無線ＬＡＮ通信部１４に設定することによって、この無線ＬＡＮシステム情報を用いてモニタ部３との通信を確立することとなる。さらにＣＰＵ１０は、この後ステップＳＰ９に進み、この第１の無線ＬＡＮシステム情報設定処理手順ＲＴ１を終了する。
【００５６】
このようにしてベースステーション部２のＣＰＵ１０は、無線ＬＡＮシステム情報設定プログラムに基づいて、無線ＬＡＮ通信部１４に対してモニタ部３との間の通信に必要な無線ＬＡＮシステム情報設定を行う。
【００５７】
一方、モニタ部３における無線ＬＡＮシステム情報設定処理は、ＲＯＭ３１（図３）に格納された無線ＬＡＮシステム情報設定プログラムに基づいて、図５に示す第２の無線ＬＡＮシステム情報設定処理手順ＲＴ２に従って行われる。
【００５８】
実際上、モニタ部３のＣＰＵ３０は、ＬＣＤ３７に無線ＬＡＮシステム情報設定用の所定のＧＵＩ画面が表示された状態において、無線ＬＡＮシステム情報を設定すべき旨の入力があったことを座標検出部４０からの通知に基づいて認識すると、この第２の無線ＬＡＮシステム情報設定処理手順ＲＴ２をステップＳＰ１０において開始し、続くステップＳＰ１１において、ＲＯＭ３１から無線ＬＡＮシステム情報設定プログラムを読み出し、これをＲＡＭ３２に展開する。
【００５９】
続いてＣＰＵ３０は、ステップＳＰ１２に進んで、送信信号の出力レベルを予め定められた最低レベルにまで低下させるように、無線ＬＡＮ通信部３４のＭＡＣ処理部５２に所定値を設定し、この後ステップＳＰ１３に進んで、無線ＬＡＮ通信部３４のＭＡＣ処理部５２に対してＲＳＳＩ値の下限値として予め定められた所定値を設定する。この結果、無線ＬＡＮ通信部３４は、この後受信信号のＲＳＳＩ値を常時監視し、この値がＣＰＵ３０により設定された値以上のデータのみを受信し、これ以外のデータ（すなわちＲＳＳＩ値がＣＰＵ１０により設定された値よりも小さいデータ）については破棄することとなる。
【００６０】
続いてＣＰＵ３０は、ステップＳＰ１４に進んで、無線ＬＡＮ通信部３４に対して既定の無線ＬＡＮシステム情報を設定する。この際ＣＰＵ３０は、無線ＬＡＮシステム情報設定プログラムにおいて予め定められている全てのベースステーション部２及び全てのモニタ部３の間で共通の無線ＬＡＮシステム情報を無線ＬＡＮ通信部３４に設定する。
【００６１】
次いでＣＰＵ３０は、ステップＳＰ１５に進み、ベースステーション部２との間で通信を確立するための処理を開始し、ＩＥＥＥ８０２．１１規格で規定された手順に従って、ベースステーション部２の探知処理（scanning）、ベースステーション部２の認証処理（authentication）及びベースステーション部２との間の接続処理（association）を順次実行する。
【００６２】
この間ＣＰＵ３０は、ステップＳＰ１６に進んでベースステーション部２との間で通信が確立するのを待ち受け、やがてベースステーション部２と無線接続されたことを無線ＬＡＮ通信部３４からの通知によって認識すると、タッチパネル３９を介してユーザにより入力された新たな無線ＬＡＮシステム情報をベースステーション部２に送信する。
【００６３】
さらにＣＰＵ３０は、この後ステップＳＰ１８に進んで、かかる新たな無線ＬＡＮシステム情報を無線ＬＡＮ通信部３４のＭＡＣ処理部５２に設定すると共に、続くステップＳＰ１９において当該新たな無線ＬＡＮシステム情報をフラッシュＲＯＭ３３に保存する。かくしてＣＰＵ３０は、この後モニタ部３の電源がオフされた場合にあっても、次回以降の電源オン時にはこの無線ＬＡＮシステム情報をフラッシュＲＯＭ３３から読み出して無線ＬＡＮ通信部３４に設定することによって、この無線ＬＡＮシステム情報を用いてベースステーション部２との通信を確立することとなる。さらにＣＰＵ３０は、この後ステップＳＰ２０に進み、この第２の無線ＬＡＮシステム情報設定処理手順ＲＴ２を終了する。
【００６４】
このようにしてモニタ部２のＣＰＵ３０は、無線ＬＡＮシステム情報設定プログラムに基づいて、無線ＬＡＮ通信部３４に対してベースステーション部２との間の通信に必要な無線ＬＡＮシステム情報設定を行い得るようになされている。
【００６５】
（３）本実施の形態の動作及び効果
以上の構成において、このワイヤレステレビジョンシステム１では、ベースステーション部２及びモニタ部３に対する相手側のモニタ部３又はベースステーション部２の無線ＬＡＮシステム情報の設定時、ベースステーション部２及びモニタ部３は、まず無線ＬＡＮシステム情報設定プログラムにおいて予め定められた全てのベースステーション部２及びモニタ部３間で共通の無線ＬＡＮシステム情報を用いて通信を確立し、この後ユーザがモニタ部３に入力した新たな無線ＬＡＮシステム情報をベースステーション部２及びモニタ部３間でやり取りすることにより共有して、これをそれぞれ自己の無線ＬＡＮ通信部１４、３４に設定する。
【００６６】
従って、このワイヤレステレビジョンシステム１では、ベースステーション部２及びモニタ部３に無線ＬＡＮシステム情報を設定する際にパーソナルコンピュータ等の他の機器を必要とせず、また当該無線ＬＡＮシステム情報を設定する際の入力ミスに起因してベースステーション部２及びモニタ部３間で通信が確立できないという事態が発生するのを未然かつ確実に防止することができる。
【００６７】
またこのワイヤレステレビジョンシステム１では、このようにベースステーション部２及びモニタ部３に無線ＬＡＮシステム情報を設定する際に、ベースステーション部２及びモニタ部３のそれぞれにおいて、無線ＬＡＮ通信部１４、３４の送信信号の出力レベルを低下させると共に受信信号の信号レベルが閾値よりも小さな受信データを破棄するようにしているため、ベースステーション部２及びモニタ部３の無線ＬＡＮシステム情報が盗まれてこれらベースステーション部２及びモニタ部３間の通信が傍受されたり、不正にアクセスされるという危険性が極めて少なく、高い安全性を確保することができる。
【００６８】
以上の構成によれば、ベースステーション部２及びモニタ部３に無線ＬＡＮシステム情報を設定する際、無線ＬＡＮシステム情報設定プログラムにおいて予め定められた全てのベースステーション部２及びモニタ部３間で共通の無線ＬＡＮシステム情報を用いて通信を確立し、この後新たな無線ＬＡＮシステム情報をベースステーション部２及びモニタ部３間でやり取りしてこれをそれぞれ自己の無線ＬＡＮ通信部１４、３４に設定するようにしたことにより、ベースステーション部２及びモニタ部３に無線ＬＡＮシステム情報を設定する際の入力ミスに起因してベースステーション部２及びモニタ部３間で通信が確立できないという事態が発生するのを未然に防止することができ、かくして使い勝手を向上させ得るワイヤレステレビジョンシステムを実現できる。
【００６９】
（４）他の実施の形態
なお上述の実施の形態においては、本発明をワイヤレステレビジョンシステム１に適用するようにした場合について述べたが、本発明はこれに限らず、ワイヤレステレビジョンシステム１以外の通信システムに広く適用することができる。
【００７０】
また上述の実施の形態においては設定された無線ＬＡＮシステム情報を用いて相手側のモニタ部３又はベースステーション部２との間で通信を行う通信手段としての無線ＬＡＮ通信部１４、３４がＩＥＥＥ８０２．１１規格に準拠したものである場合について述べたが、本発明はこれに限らず、これ以外の無線通信規格に準拠したものを適用するようにしても良い。
【００７１】
さらに上述の実施の形態においては、ベースステーション部２及びモニタ部３において無線ＬＡＮ通信部１４、３４に無線ＬＡＮシステム情報を設定する設定手段としてのＣＰＵ１０、３０が、ユーザにより入力された新たな無線ＬＡＮシステム情報を無線ＬＡＮ通信部１４、３４に設定するようにした場合について述べたが、本発明はこれに限らず、例えばかかる新たな無線ＬＡＮシステム情報を予めベースステーション部２のフラッシュＲＯＭ１３又はモニタ部３のフラッシュＲＯＭ３３に保持しておき、全てのベースステーション部２及びモニタ部３間で共通の無線ＬＡＮシステム情報を用いて当該ベースステーション部２及びモニタ部３間の通信を確立した後に、かかるベースステーション部２のフラッシュＲＯＭ１３又はモニタ部３のフラッシュＲＯＭ３３内に保持された固有の無線ＬＡＮシステム情報をベースステーション部２及びモニタ部３間でやり取りして、これをベースステーション部２及びモニタ部３内においてそれぞれ無線ＬＡＮ通信部１４、３４に設定するようにしても良い。
【産業上の利用可能性】
【００７２】
本発明は、ワイヤレステレビジョンシステムのほか、この他種々の無線通信システム、これを構成する通信装置に広く適用することができる。
【図面の簡単な説明】
【００７３】
【図１】本実施の形態によるワイヤレステレビジョンシステムの全体構成を示す略線図である。
【図２】ベースステーション部の構成を示すブロック図である。
【図３】モニタ部の構成を示すブロック図である。
【図４】無線ＬＡＮ通信部の構成を示すブロック図である。
【図５】第１の無線ＬＡＮシステム情報設定処理手順を示すフローチャートである。
【図６】第２の無線ＬＡＮシステム情報設定処理手順を示すフローチャートである。
【符号の説明】
【００７４】
１……ワイヤレステレビジョンシステム、２……ベースステーション部、３……モニタ部、１０、３０……ＣＰＵ、１１、３１……ＲＯＭ、１３、３３……フラッシュＲＯＭ、１４、３４……無線ＬＡＮ通信部、１８……設定キー、１９……キー状態検出部、３７……ＬＣＤ、３８……表示処理部、３９……タッチパネル、４０……座標検出部、４１……スピーカ、４２……音声制御部、ＲＴ１……第１の無線ＬＡＮシステム情報設定処理手順、ＲＴ２……第２の無線ＬＡＮシステム情報設定処理手順。
【図１】
2005210314.tif 000003
【図２】
2005210314.tif 000004
【図３】
2005210314.tif 000005
【図４】
2005210314.tif 000006
【図５】
2005210314.tif 000007
【図６】
2005210314.tif 000008